(57)【要約】【課題】  従来のリフロー炉では、フラックスを含むソルダペーストが用いられており、リフロー加熱時にフラックスを含む有機物が発生し、リフロー炉からは、排気ブロワを介して有害な有機物を含む空気を外部へ排出しているため、環境上好ましくない。また、基板の下面と上面間に炉内で数１０度の温度差を形成することができない。【解決手段】  本発明のリフロー炉は、ワーク通路に高温雰囲気を吹き出す雰囲気吹き出し口と、雰囲気吸引ダクトと、上記各雰囲気吸引ダクトによって吸引せしめた雰囲気を排気管を介して集め、上記雰囲気吹き出し口に循環せしめるための雰囲気循環用ブロワと、上記排気管に介挿したフラックス除去用ダクトと、このフラックス除去用ダクトの冷却手段と、上記ワーク通路の入口側において上記通路を通るワーク搬送ベルトの上面側及び下面側の何れか一方に配置した加熱手段とより成る。上記雰囲気吹き出し口の上流側にフィルターを設ける。【選択図】  図２
2005144558.tif 000002
【特許請求の範囲】
【請求項１】
ワーク通路に高温雰囲気を吹き出す雰囲気吹き出し口と、雰囲気吸引ダクトと、上記各雰囲気吸引ダクトによって吸引せしめた雰囲気を排気管を介して集め、外部雰囲気と共に上記雰囲気吹き出し口に循環せしめるための雰囲気循環用ブロワと、上記雰囲気吹き出し口の上流側に設けたフィルターと、上記排気管に介挿したフラックス除去用ダクトと、このフラックス除去用ダクトの冷却手段とより成ることを特徴とするリフロー炉。
【請求項２】
ワーク通路に高温雰囲気を吹き出す雰囲気吹き出し口と、雰囲気吸引ダクトと、上記各雰囲気吸引ダクトによって吸引せしめた雰囲気を排気管を介して集め、上記雰囲気吹き出し口に循環せしめるための雰囲気循環用ブロワと、上記排気管に介挿したフラックス除去用ダクトと、このフラックス除去用ダクトの冷却手段と、上記ワーク通路の入口側において上記通路を通るワーク搬送ベルトの上面側及び下面側の何れか一方に配置した加熱手段とより成ることを特徴とするリフロー炉。
【請求項３】
ワーク通路に高温雰囲気を吹き出す雰囲気吹き出し口と、雰囲気吸引ダクトと、上記各雰囲気吸引ダクトによって吸引せしめた雰囲気を排気管を介して集め、外部雰囲気と共に上記雰囲気吹き出し口に循環せしめるための雰囲気循環用ブロワと、上記雰囲気吹き出し口の上流側に設けたフィルターと、上記排気管に介挿したフラックス除去用ダクトと、このフラックス除去用ダクトの冷却手段と、上記ワーク通路の入口側において上記通路を通るワーク搬送ベルトの上面側及び下面側の何れか一方に配置した加熱手段とより成ることを特徴とするリフロー炉。
【発明の詳細な説明】
【技術分野】
【０００１】
本発明はリフロー炉、特に、孔基板のハンダ付孔用リフロー炉に関するものである。
【背景技術】
【０００２】
リフローハンダ付けのためワークに熱風や冷風を加えて温度制御するリフロー炉は知られている（特許文献１）。
【特許文献１】特開平８−２９３６６６号公報（図１）
【０００３】
図３は従来の他のリフリー炉を示し、１はリフロー炉外筐、２はワーク搬送ベルト、３〜６はワークの進行方向に沿って順次に形成した第１予熱区域、第２予熱区域、リフロー部、冷却部、７は上記各区域３〜５において互いに隣接して配置した複数の雰囲気吹き出し口、８は上記区域３〜５の上流側と下流側に配置した雰囲気吸引ダクト、９はこの両雰囲気吸引ダクト８，８間を連結する排気管、１０は排気ブロワ、１１はこの排気管９と排気ブロワ１０間を連結する連結管である。
【０００４】
このような従来のリフロー炉においては排気管９に集められ第１，第２予熱区域３，４及びリフロー部５に雰囲気吹き出し口７から吹き出す雰囲気は加熱手段（図示せず）によって加熱し、循環手段（図示せず）を介して上記雰囲気噴き出し口７から吹き出すようにしている。
【０００５】
この場合加熱された雰囲気は膨脹し、高圧となってリフロー炉外筐１に形成されたワーク搬送ベルト２用の開口１２を介して外部に熱風が吹き出ることになるためこれを防ぐため排気ブロワ１０によって上記開口１２から外部空気を引き込み、排気ブロワ１０の開口１３からリフロー炉１内の雰囲気の一部を常時外筐１外に排気するようにしている。
【発明の開示】
【発明が解決しようとする課題】
【０００６】
然しながら、このようなリフロー炉においては、フラックスを含むソルダペーストが用いられており、リフロー加熱時にフラックスを含む有機物が発生し、リフロー炉からは排気ブロワ１０を介して有害な有機物を含む空気を外部へ排出しているため、環境上、好ましくない。
【０００７】
また、炉外に排気される雰囲気の通路となる連結管１１内にはフラックス等が付着し、これに引火して火災になり易い欠点があった。
【０００８】
また、加熱した雰囲気に外部の冷気を混合し炉内に循環せしめたリフロー炉では炉内に外部の有害物質が入り込み、また、炉内のフラックスが再び炉内に入り込むおそれがある。
【０００９】
なお、図５は上記ワーク搬送ベルト２によって搬送される基板２１と、この基板２１の下面に取り付けた例えばアルミ電解コンデンサ２２と、上面に取り付けた接着部品２３の詳細を示し、上記接着部品２３は通常例えば１３０℃で８０秒間または１２０℃で１２０秒間加熱処理されるが、上記コンデンサ２２の許容温度は１０５℃程度であり、基板２１の下面と上面間には炉内で数１０度の温度差を設ける必要があるが従来のリフロー炉ではこのような温度差を形成することができない。
【００１０】
本発明はこのような欠点を除くようにしたものである。
【課題を解決するための手段】
【００１１】
本発明のリフロー炉は、ワーク通路に高温雰囲気を吹き出す雰囲気吹き出し口と、雰囲気吸引ダクトと、上記各雰囲気吸引ダクトによって吸引せしめた雰囲気を排気管を介して集め、外部雰囲気と共に上記雰囲気吹き出し口に循環せしめるための雰囲気循環用ブロワと、上記雰囲気吹き出し口の上流側に設けたフィルターと、上記排気管に介挿したフラックス除去用ダクトと、このフラックス除去用ダクトの冷却手段とより成ることを特徴とする。
【００１２】
本発明のリフロー炉は、ワーク通路に高温雰囲気を吹き出す雰囲気吹き出し口と、雰囲気吸引ダクトと、上記各雰囲気吸引ダクトによって吸引せしめた雰囲気を排気管を介して集め、上記雰囲気吹き出し口に循環せしめるための雰囲気循環用ブロワと、上記排気管に介挿したフラックス除去用ダクトと、このフラックス除去用ダクトの冷却手段と、上記ワーク通路の入口側において上記通路を通るワーク搬送ベルトの上面側及び下面側の何れか一方に配置した加熱手段とより成ることを特徴とする。
【００１３】
本発明のリフロー炉は、ワーク通路に高温雰囲気を吹き出す雰囲気吹き出し口と、雰囲気吸引ダクトと、上記各雰囲気吸引ダクトによって吸引せしめた雰囲気を排気管を介して集め、外部雰囲気と共に上記雰囲気吹き出し口に循環せしめるための雰囲気循環用ブロワと、上記雰囲気吹き出し口の上流側に設けたフィルターと、上記排気管に介挿したフラックス除去用ダクトと、このフラックス除去用ダクトの冷却手段と、上記ワーク通路の入口側において上記通路を通るワーク搬送ベルトの上面側及び下面側の何れか一方に配置した加熱手段とより成ることを特徴とする。
【発明の効果】
【００１４】
本発明のリフロー炉によれば、有害なフラックス等の有機物が炉外に排出されることはなく、外部からの有害物質及び炉内のフラックス等が炉内に入り込むことがなく、また、フラックスが配管内に堆積して火災のもとになることもない。また、炉外への排気配管を用いないため室温上昇も生じない。更に、基板の下面と上面間に十分な温度差を形成できるためハンダ熔融等による部品の脱落を防止できる。
【発明を実施するための最良の形態】
【００１５】
以下図面によって本発明の実施例を説明する。
【実施例１】
【００１６】
本発明においては図１に示すように従来の排気ブロワ１０とこれに対する連結管１１を用いず排気管９をフラックス除去用ダクト１４及び冷気導入ダクト１９を介して雰囲気循環用ブロワ１５に接続して雰囲気をリフロー炉外筐１内で循環せしめると共に、上記フラックス除去用ダクト１４をラジエータ等の冷却手段（図示せず）によって例えば１９０℃〜１６０℃の雰囲気を８０℃〜７０℃迄冷却してフラックス等を気化状態から液化または固化せしめ、これを上記フラックス除去用ダクト１４に設けたネット等の濾過手段（図示せず）を介して濾過せしめ、このようにしてクリーンとされた雰囲気を炉外に排気することなくリフロー炉外筐１内で上記循環用ブロワ１５を介して循環せしめると共に、図２に示すように雰囲気吹き出し口７に対し熱風雰囲気を吹き出す熱風ダクト１６の上流側のダクト１７にヒーター１８を設け、必要に応じて雰囲気吹き出し口７から熱風と冷気を混合した任意の温度の風を吹き出し得るよう外部の冷気導入ダクト１９と、上記ダクト１７に対する炉内雰囲気の導入ダクト２０とを設け、この両ダクト１７，２０に外部の有害物質と、炉内のフラックスを除去するための例えば触媒フィルター等のフィルター２４を介挿せしめる。
【００１７】
また、本発明のリフロー炉によれば有害なフラックス等の有機物を炉外に排出することなく、また、フラックスが配管内に堆積して火災のもとになることもない。また、炉外への排気配管を用いないため室温上昇も生じない。
【実施例２】
【００１８】
本発明の他の実施例においては図３に示すように上記接着部品２３を設ける上記基板２の上面側に例えば１ＫＷのハロゲンランプ２５と反射板２６とより成る加熱手段２７を配置し、アルミ電解コンデンサ２２が配置される上記基板２の下面側の温度に対し上面側の温度を例えば５０℃〜１５℃高め、上記下面側の温度は最大例えば１０５℃となるように炉内雰囲気温度を制御せしめる。
【００１９】
なお、上記加熱手段２７はワーク投入時にのみ作動せしめるのが省エネのため好ましい。また、上記アルミ電解コンデンサ２２が基板の下面ではなく上面に配置される場合には上記加熱手段２７を上面ではなく下面側に設けることは勿論である。
【図面の簡単な説明】
【００２０】
【図１】本発明のリフロー炉の正面図である。
【図２】本発明のリフロー炉の要部の拡大側面図である。
【図３】本発明のリフロー炉の他の実施例を示す正面図である。
【図４】従来のリフロー炉の正面図である。
【図５】基板とワークの説明図である。
【符号の説明】
【００２１】
１  リフロー炉外筐
２  ワーク搬送ベルト
３  予熱区域
４  予熱区域
５  リフロー部
６  冷却部
７  雰囲気吹き出し口
８  雰囲気吸引ダクト
９  排気管
１０  排気ブロワ
１１  連結管
１２  開口
１３  開口
１４  フラックス除去用ダクト
１５  雰囲気循環用ブロワ
１６  熱風ダクト
１７  ダクト
１８  ヒーター
１９  冷気導入ダクト
２０  ダクト
２１  基板
２２  アルミ電解コンデンサ
２３  接着部品
２４  触媒フィルター
２５  ハロゲンランプ
２６  反射板
２７  加熱手段
【図１】
2005144558.tif 000003
【図２】
2005144558.tif 000004
【図３】
2005144558.tif 000005
【図４】
2005144558.tif 000006
【図５】
2005144558.tif 000007